(57)【要約】【課題】相互係合する第１及び第２のコネクタのうちの一方についての他方との嵌合連結状態を適正かつ安定に維持できるとともに、斯かる嵌合連結状態の解除を容易に行うことができる相互係合コネクタ装置を提供する。【解決手段】リセプタクルコネクタ１０が、そのハウジング１１が固定された回路基板の部品搭載面に向かう方向の弾性押圧力を生じさせること及び回路基板の部品搭載面に沿う方向に部分的弾性変位をすることが可能とされた弾性係合部材１３と、弾性係合部材１３に対する係止状態をとり得る係止部１６とを備え、プラグコネクタ３０のハウジング３１がリセプタクルコネクタ１０のハウジング１１との嵌合状態におかれるとき、弾性係合部材１３が、ハウジング３１にハウジング１１を回路基板の部品搭載面に押し付ける弾性押圧力を及ぼすとともに係止部１６によって係止される。【選択図】図１８
2017174746.tif 000002
【特許請求の範囲】
【請求項１】
回路基板の部品搭載面に固定される第１のハウジング及び該第１のハウジングに配列配置されて上記回路基板の部品搭載面に設けられた複数の端子部に夫々接続される複数の第１のコンタクトを備えて上記回路基板に装着される第１のコネクタと、
上記第１のハウジングとの嵌合状態をとる第２のハウジング及び該第２のハウジングに配列配置され、上記第２のハウジングが上記第１のハウジングとの嵌合状態をとるとき、上記複数の第１のコンタクトに夫々接触接続される状態をとる複数の第２のコンタクトを備えた第２のコネクタと、
を含んで構成され、
上記第１のコネクタが、上記第１のハウジングに回動可能に取り付けられて、該第１のハウジングが固定された上記回路基板の部品搭載面に向かう方向の弾性押圧力を生じさせること及び上記回路基板の部品搭載面に沿う方向に部分的弾性変位をすることが可能とされた弾性係合部材と、該弾性係合部材に対する係止状態をとり得るものとされた係止部とを備え、
上記第１のハウジングが上記回路基板の部品搭載面に固定されたもとで上記第２のハウジングが上記第１のハウジングとの嵌合状態におかれるとき、上記弾性係合部材が、回動せしめられて、上記第２のハウジングに上記第１のハウジングを上記回路基板の部品搭載面に押し付けることになる弾性押圧力を及ぼすとともに上記係止部によって係止された状態におかれることを特徴とする相互係合コネクタ装置。
【請求項２】
上記弾性係合部材が、両端部が第１のハウジングにより回動可能に支持され、該両端部の間の中間部に、上記第１のハウジングとの嵌合状態におかれた上記第２のハウジングに押圧当接する押圧部と上記係止部に係合する被係止係合部とが形成された弾性屈曲棒状体を成すことを特徴とする請求項１記載の相互係合コネクタ装置。
【請求項３】
上記弾性係合部材の中間部が、中央部分に上記被係止係合部が形成されるとともに該被係止係合部を挟むものとして上記押圧部が形成されていることを特徴とする請求項２記載の相互係合コネクタ装置。
【請求項４】
上記第１のハウジングが上記回路基板の部品搭載面に固定されたもとで上記第２のハウジングが上記第１のハウジングとの嵌合状態におかれるとき、上記弾性係合部材の押圧部が上記第２のハウジングに上記第１のハウジングを上記回路基板の部品搭載面に押し付けることになる弾性押圧力を及ぼすことを特徴とする請求項２記載の相互係合コネクタ装置。
【請求項５】
上記第１のハウジングが上記回路基板の部品搭載面に固定されたもとで上記第２のハウジングが上記第１のハウジングとの嵌合状態におかれるとき、上記弾性係合部材の中間部が上記回路基板の部品搭載面に沿う方向に弾性変位可能とされたことを特徴とする請求項２記載の相互係合コネクタ装置。
【請求項６】
上記第２のハウジングが上記回路基板の部品搭載面に固定された上記第１のハウジングとの嵌合状態におかれたもとで、上記弾性係合部材の中間部が上記回路基板の部品搭載面に沿う方向に弾性変位せしめられることにより、上記中間部における上記被係止係合部の上記係止部に対する係合が解除されることを特徴とする請求項５記載の相互係合コネクタ装置。
【請求項７】
上記第１のコネクタが、上記第１のハウジングを部分的に覆う状態をもって該第１のハウジングに固定される第１のシェル部材を備え、上記係止部が上記第１のシェル部材に設けられていることを特徴とする請求項１記載の相互係合コネクタ装置。
【請求項８】
上記係止部が、該係止部に上記弾性係合部材の被係止係合部が係合する際に該被係止係合部を案内する傾斜面部分を有することを特徴とする請求項７記載の相互係合コネクタ装置。
【請求項９】
上記第２のコネクタが、上記第２のハウジングを部分的に覆う状態をもって該第２のハウジングに固定される第２のシェル部材を備え、上記第１のハウジングが上記回路基板の部品搭載面に固定されたもとで上記第２のハウジングが上記第１のハウジングとの嵌合状態におかれるとき、上記弾性係合部材の中間部における上記押圧部が、上記第２のシェル部材に押圧当接して、上記第２のハウジングに上記第１のハウジングを上記回路基板の部品搭載面に押し付けることになる弾性押圧力を及ぼすことを特徴とする請求項２記載の相互係合コネクタ装置。
【発明の詳細な説明】
【技術分野】
【０００１】
本願の特許請求の範囲に記載された発明は、回路基板（配線基板を含む）に装着される第１のコネクタとケーブルや配線基板（フレキシブル印刷配線基板（FPC)を含む。）等が接続される第２のコネクタとを含み、第１のコネクタに第２のコネクタが嵌合連結されることにより、第２のコネクタに連結されたケーブルや配線基板等を第１のコネクタが装着された回路基板に電気的に接続する相互係合コネクタ装置に関する。
【背景技術】
【０００２】
複数の比較的細いケーブルや比較的小型なフレキシブル印刷配線基板を、各種の電気部品が取り付けられる回路基板に接続するにあたっては、複数のケーブルあるいはフレキシブル印刷配線基板が接続されるプラグコネクタと、回路基板にそれとの電気的接続がなされて固定され、プラグコネクタが嵌合連結されるリセプタクルコネクタと、が用いられることが多い。プラグコネクタには、複数のケーブルあるいはフレキシブル印刷配線基板との電気的接続がなされて配列配置される複数のプラグ側導電コンタクトが配される嵌合凸部が設けられる。また、リセプタクルコネクタには、プラグコネクタに設けられた嵌合凸部が挿入される嵌合凹部が設けられ、その嵌合凹部内において、各々の一端部が端子部とされて回路基板に接続されるもとで配列配置される複数のリセプタクル側導電コンタクトに、嵌合凹部に挿入されたプラグコネクタの嵌合凸部における複数のプラグ側導電コンタクトが、夫々押圧接触するものとされる。
【０００３】
プラグコネクタにおける嵌合凸部は、絶縁材料によって構成されて複数のプラグ側導電コンタクトを支持するプラグ側ハウジングの一部として形成され、また、リセプタクルコネクタにおける嵌合凹部は、絶縁材料によって構成されて複数のリセプタクル側導電コンタクトを支持するリセプタクル側ハウジングの一部として形成される。そして、複数のケーブルあるいはフレキシブル印刷配線基板が接続されたプラグコネクタにおける嵌合凸部が、回路基板に固定されたリセプタクルコネクタにおける嵌合凹部に挿入される際には、プラグ側ハウジングがリセプタクル側ハウジングとの嵌合状態をとってプラグコネクタがリセプタクルコネクタに嵌合連結せしめられ、複数のプラグ側導電コンタクトと複数のリセプタクル側導電コンタクトとが相互接触接続状態におかれる。その結果、プラグコネクタに接続された複数のケーブルあるいはフレキシブル印刷配線基板が、複数のプラグ側導電コンタクト及び複数のリセプタクル側導電コンタクトを介して、リセプタクルコネクタが固定された回路基板に電気的に接続される。
【０００４】
このようにして、プラグコネクタに接続された複数のケーブルあるいはフレキシブル印刷配線基板をリセプタクルコネクタが固定された回路基板に電気的に接続すべく、複数のケーブルあるいはフレキシブル印刷配線基板が連結されたプラグコネクタのプラグ側ハウジングが回路基板に固定されたリセプタクルコネクタのリセプタクル側ハウジングに嵌合せしめられて、プラグコネクタがリセプタクルコネクタとの嵌合連結状態におかれるにあたっては、プラグ側ハウジングがリセプタクル側ハウジングとの嵌合状態を安定に維持するものとされることが必要とされる。そのため、従来にあっては、プラグコネクタとリセプタクルコネクタとを含んで構成され、プラグコネクタとリセプタクルコネクタとが嵌合連結せしめられたとき、プラグコネクタをリセプタクルコネクタに対して機械的に係止するロック手段を備えた相互係合コネクタ装置が提案されている（例えば、特許文献１参照。）。
【０００５】
特許文献１に示される相互係合コネクタ装置（電気コネクタ）は、リセプタクル側ハウジング（絶縁ハウジング(11)）と、リセプタクル側ハウジングに装着されてグラウンド回路の一部を成し、電磁シールド作用をもたらすリセプタクル側シェル部材（導電性シェル(12)) と、を備えて回路基板（印刷配線基板(P))に配され、回路基板との電気的接続がなされたリセプタクルコネクタ（10) 、及び、プラグ側ハウジング（絶縁ハウジング(21)) と、プラグ側ハウジングに装着されてグラウンド回路の一部を成し、電磁シールド作用をもたらすプラグ側シェル部材（導電性シェル(22)) と、を備えていて、複数のケーブル（細線同軸ケーブル（SC))が連結されるプラグコネクタ（20) を含んで構成されている。リセプタクルコネクタに備えられたリセプタクル側シェル部材は、プラグコネクタがリセプタクルコネクタに挿入されてリセプタクルコネクタとの嵌合連結状態をとるとき、プラグコネクタに備えられたプラグ側シェル部材に係合する。
【０００６】
リセプタクルコネクタに備えられたリセプタクル側シェル部材には、ロック突起部（12g)とロック突起部（12h)とが設けられており、また、プラグコネクタに備えられたプラグ側シェル部材には、ロック穴部（22g)とロック穴部（22h)とが設けられている。そして、プラグコネクタがリセプタクルコネクタとの嵌合連結状態に置かれるときには、リセプタクル側シェル部材に設けられた複数のロック突起部がプラグ側シェル部材に設けられた複数のロック穴部に夫々入り込んで係合状態をとるものとされ、それにより、リセプタクルコネクタに対するプラグコネクタの嵌合状態が保持される。即ち、リセプタクル側シェル部材に設けられた複数のロック突起部とプラグ側シェル部材に設けられた複数のロック穴部とが、プラグコネクタをリセプタクルコネクタに対して機械的に係止するロック手段を構成しているのである。
【先行技術文献】
【特許文献】
【０００７】
【特許文献１】特開２０１１−１３８６８７号公報
【発明の概要】
【発明が解決しようとする課題】
【０００８】
上述のような、従来提案されている、リセプタクルコネクタとプラグコネクタとを含んで構成され、プラグコネクタをリセプタクルコネクタに対して機械的に係止するロック手段を備えた相互係合コネクタ装置にあっては、次のような不都合が見られる。
【０００９】
ロック手段を構成するリセプタクル側シェル部材に設けられた複数のロック突起部とプラグ側シェル部材に設けられた複数のロック穴部とは、リセプタクル側シェル部材に設けられた複数のロック突起部がプラグ側シェル部材に設けられた複数のロック穴部に夫々入り込んで係合状態をとることにより、リセプタクルコネクタに対するプラグコネクタの嵌合連結状態を保持する役割を果たすが、斯かる際における複数のロック突起部の複数のロック穴部に対する係合は、リセプタクルコネクタとの嵌合連結状態に置かれたプラグコネクタのリセプタクルコネクタからの抜去を比較的容易に許す程度のものに設定される。そうでないと、プラグコネクタをリセプタクルコネクタから抜去しようとする際に、その抜去に困難がきたされ、例えば、特殊なジグを用いてリセプタクル側シェル部材あるいはプラグ側シェル部材を変形させなければならない事態がまねかれることになるからである。
【００１０】
上述のように、複数のロック突起部の複数のロック穴部に対する係合が、リセプタクルコネクタとの嵌合連結状態に置かれたプラグコネクタのリセプタクルコネクタからの抜去を比較的容易に許す程度のものに設定されることにより、例えば、複数の細線同軸ケーブルとされる複数のケーブルが連結されたプラグコネクタがリセプタクルコネクタとの嵌合連結状態に置かれたもとにおいて、プラグコネクタに連結された複数のケーブルにプラグコネクタをリセプタクルコネクタから離隔させようとする不所望な外力が作用した場合に、複数のロック突起部の複数のロック穴部に対する係合状態が不所望に解除されてしまう虞が生じる。このようにして、複数のロック突起部の複数のロック穴部に対する係合状態が不所望に解除されてしまう虞があるもとにあっては、複数のロック突起部と複数のロック穴部とによって構成されるロック手段によってリセプタクルコネクタに対するプラグコネクタの嵌合連結状態を適正かつ安定に維持することができるとは言えない。
【００１１】
斯かる点に鑑み、本願の特許請求の範囲に記載された発明は、回路基板に装着される、例えば、リセプタクルコネクタとされる第１のコネクタと、例えば、複数のケーブルや配線基板が接続されるプラグコネクタとされる第２のコネクタとを含み、第１のコネクタに第２のコネクタが嵌合連結せしめられることにより、第２のコネクタに接続された複数のケーブルや配線基板を第１のコネクタが装着された回路基板に電気的に接続された状態におくことができる機構を成すものであって、第１のコネクタに対する第２のコネクタの嵌合連結状態を適正かつ安定に維持することができ、しかも、第１のコネクタとの嵌合連結状態に置かれた第２のコネクタの第１のコネクタからの抜去を容易に行うことができる相互係合コネクタ装置を提供する。
【課題を解決するための手段】
【００１２】
本願の特許請求の範囲における請求項１から請求項９までのいずれかに記載された発明（以下、本願発明という。）に係る相互係合コネクタ装置は、回路基板の部品搭載面に固定される第１のハウジング、及び、第１のハウジングに配列配置されて回路基板の部品搭載面に設けられた複数の端子部に夫々接続される複数の第１のコンタクトを備えて、回路基板に装着される第１のコネクタと、第１のハウジングとの嵌合状態をとる第２のハウジング、及び、第２のハウジングに配列配置され、第２のハウジングが第１のハウジングとの嵌合状態をとるとき、複数の第１のコンタクトに夫々接触接続される状態をとる複数の第２のコンタクトを備えた第２のコネクタと、を含んで構成される。そして、斯かる本願発明に係る相互係合コネクタ装置にあっては、第１のコネクタが、第１のハウジングに回動可能に取り付けられて、第１のハウジングが固定された回路基板の部品搭載面に向かう方向の弾性押圧力を生じさせること及び回路基板の部品搭載面に沿う方向に部分的弾性変位をすることが可能とされた弾性係合部材と、弾性係合部材に対する係止状態をとり得るものとされた係止部とを備え、第１のハウジングが回路基板の部品搭載面に固定されたもとで第２のハウジングが第１のハウジングとの嵌合状態におかれるとき、弾性係合部材が、回動せしめられて、第２のハウジングに第１のハウジングを回路基板の部品搭載面に押し付けることになる弾性押圧力を及ぼすとともに係止部によって係止された状態をとるものとされる。
【００１３】
特に、本願の特許請求の範囲における請求項２に記載された本願発明に係る相互係合コネクタ装置においては、弾性係合部材が、両端部が第１のハウジングにより回動可能に支持され、両端部の間の部分に、第１のハウジングとの嵌合状態におかれた第２のハウジングに押圧当接する押圧部と第１のコネクタに備えられた係止部に係合する被係止係合部とが形成された弾性屈曲棒状体を成すものとされる。
【００１４】
上述のような本願発明に係る相互係合コネクタ装置にあっては、第２のコネクタの第２のハウジングが回路基板に装着された第１のコネクタの第１のハウジングとの嵌合状態をとって第２のコネクタが第１のコネクタとの嵌合連結状態におかれるとき、第２のコネクタにおける複数の第２のコンタクトが第１のコネクタにおける複数の第１のコンタクトに夫々接触接続され、また、第１のハウジングが固定された回路基板の部品搭載面に向かう方向の弾性押圧力を生じさせること及び回路基板の部品搭載面に沿う方向に部分的弾性変位をすることが可能とされて第１のハウジングに回動可能に取り付けられた弾性係合部材が、回動せしめられて、第２のハウジングに第１のハウジングをそれが固定された回路基板の部品搭載面に押し付けることになる弾性押圧力を及ぼすとともに第１のコネクタに備えられた係止部によって係止された状態をとる。
【００１５】
斯かる際、第２のコネクタにおける複数の第２のコンタクトが第１のコネクタにおける複数の第１のコンタクトに夫々接触接続されることにより、例えば、第２のコネクタに接続された複数のケーブルあるいは配線基板が、第２のコネクタにおける複数の第２のコンタクト及び第１のコネクタにおける複数の第１のコンタクトを通じて、第１のハウジングが固定された回路基板の部品搭載面に設けられた複数の端子部に連結される。
【００１６】
さらに、第２のコネクタが回路基板に装着された第１のコネクタとの嵌合連結状態におかれて弾性係合部材が第１のコネクタに備えられた係止部によって係止された状態をとるもとで、第１のハウジングが固定された回路基板の部品搭載面に沿う方向に部分的弾性変位をすることが可能とされた弾性係合部材に、第１のハウジングが固定された回路基板の部品搭載面に沿う方向の部分的弾性変位を生じさせる外力が加えられると、弾性係合部材が生じる部分的弾性変位に伴って、弾性係合部材に対する第１のコネクタに備えられた係止部による係止が解除され、第１のコネクタとの嵌合連結状態におかれた第２のコネクタが第１のコネクタから抜去され得るものとされる。
【００１７】
第１のハウジングに回動可能に取り付けられた弾性係合部材は、例えば、本願の特許請求の範囲における請求項２に記載された本願発明に係る相互係合コネクタ装置の場合のように、その両端部が第１のハウジングにより回動可能に支持され、両端部の間の部分に、第１のハウジングとの嵌合状態に置かれた第２のハウジングに押圧当接する押圧部と第１のコネクタに備えられた係止部に係合する被係止係合部とが形成された弾性屈曲棒状体を成すものとされ、押圧部が第２のハウジングに第１のハウジングをそれが固定された回路基板の部品搭載面に押し付けることになる弾性押圧力を作用させるとともに、被係止係合部が第１のコネクタに備えられた係止部によって係止されるものとされる。
【発明の効果】
【００１８】
本願発明に係る相互係合コネクタ装置においては、第２のコネクタの第２のハウジングが回路基板に装着された第１のコネクタの第１のハウジングとの嵌合状態をとって第２のコネクタが第１のコネクタとの嵌合連結状態におかれるとき、第１のハウジングが固定された回路基板の部品搭載面に向かう方向の弾性押圧力を生じさせること及び回路基板の部品搭載面に沿う方向に部分的弾性変位をすることが可能とされて第１のハウジングに回動可能に取り付けられた弾性係合部材が、回動せしめられて、第２のハウジングに第１のハウジングをそれが固定された回路基板の部品搭載面に押し付けることになる弾性押圧力を及ぼすとともに第１のコネクタに備えられた係止部によって係止された状態をとるものとされるが、弾性係合部材が第２のハウジングに第１のハウジングをそれが固定された回路基板の部品搭載面に押し付けることになる弾性押圧力を及ぼすとともに第１のコネクタに備えられた係止部によって係止された状態をとるときには、それにより、例えば、第２のコネクタに接続された複数のケーブルあるいは配線基板に、第２のコネクタを第１のコネクタから離隔させようとする不所望な外力が作用した場合においても、第２のコネクタの第１のコネクタとの嵌合連結状態が乱されることなく、第２のコネクタの第２のハウジングが第１のコネクタの第１のハウジングとの嵌合状態をとって得られる第２のコネクタの第１のコネクタとの嵌合連結状態が適正かつ安定に維持される。
【００１９】
それに加えて、第２のコネクタが回路基板に装着された第１のコネクタとの嵌合連結状態におかれて弾性係合部材が第１のコネクタに備えられた係止部によって係止された状態をとるもとで、第１のコネクタに備えられた弾性係合部材に、第１のハウジングが固定された回路基板の部品搭載面に沿う方向の部分的弾性変位を生じさせる外力が加えられるときには、弾性係合部材が生じる部分的弾性変位に伴って、弾性係合部材に対する第１のコネクタに備えられた係止部による係止が解除され、第１のコネクタとの嵌合連結状態におかれた第２のコネクタが第１のコネクタから抜去され得るものとされるので、弾性係合部材に対する第１のコネクタに備えられた係止部による係止を解除して、第１のコネクタとの嵌合連結状態におかれた第２のコネクタを第１のコネクタから抜去され得るものとなす状態を、容易に得ることができる。
【００２０】
これよりして、本願発明に係る相互係合コネクタ装置によれば、回路基板に固定される第１のハウジングを有して回路基板に装着される第１のコネクタと、第１のハウジングとの嵌合状態をとる第２のハウジングを有し、例えば、複数のケーブルや配線基板が接続される第２のコネクタとを含んで構成されて、第２のハウジングが第１のハウジングとの嵌合状態をとって第２のコネクタが第１のコネクタとの嵌合連結状態に置かれることにより、第２のコネクタに接続された複数のケーブルや配線基板を第１のハウジングが固定された回路基板に電気的に接続された状態におくことができる機構を成すもとにおいて、第２のコネクタの第２のハウジングが第１のコネクタの第１のハウジングとの嵌合状態をとって得られる第２のコネクタの第１のコネクタとの嵌合連結状態を適正かつ安定に維持することができ、しかも、第１のコネクタとの嵌合連結状態に置かれた第２のコネクタの第１のコネクタからの抜去を容易に行うことができることになる。
【図面の簡単な説明】
【００２１】
【図１】本願発明に係る相互係合コネクタ装置の一例を構成するリセプタクルコネクタを示す斜視図である。
【図２】本願発明に係る相互係合コネクタ装置の一例を構成するリセプタクルコネクタを示す斜視図である。
【図３】本願発明に係る相互係合コネクタ装置の一例を構成するリセプタクルコネクタを示す側面図である。
【図４】本願発明に係る相互係合コネクタ装置の一例を構成するリセプタクルコネクタについての分解斜視図である。
【図５】図４における枠Ａ内を拡大して示す部分拡大斜視図である。
【図６】本願発明に係る相互係合コネクタ装置の一例を構成するリセプタクルコネクタをそれが装着された回路基板の部分と共に示す斜視図である。
【図７】本願発明に係る相互係合コネクタ装置の一例を構成するリセプタクルコネクタをそれが装着された回路基板の部分と共に示す背面図である。
【図８】図７におけるVIII−VIII線断面を示す断面図である。
【図９】本願発明に係る相互係合コネクタ装置の一例をリセプタクルコネクタと共に構成するプラグコネクタをそれに接続された複数のケーブルと共に示す斜視図である。
【図１０】本願発明に係る相互係合コネクタ装置の一例をリセプタクルコネクタと共に構成するプラグコネクタをそれに接続された複数のケーブルと共に示す斜視図である。
【図１１】本願発明に係る相互係合コネクタ装置の一例をリセプタクルコネクタと共に構成するプラグコネクタをそれに接続されたケーブルと共に示す側面図である。
【図１２】本願発明に係る相互係合コネクタ装置の一例をリセプタクルコネクタと共に構成するプラグコネクタをそれに接続されたケーブルと共に示す断面面である。
【図１３】本願発明に係る相互係合コネクタ装置の一例を構成するリセプタクルコネクタとプラグコネクタとを、プラグコネクタがそれに複数のケーブルが接続されたもとでリセプタクルコネクタに嵌合連結された状態をもって示す斜視面である。
【図１４】本願発明に係る相互係合コネクタ装置の一例を構成するリセプタクルコネクタとプラグコネクタとを、プラグコネクタがそれにケーブルが接続されたもとでリセプタクルコネクタに嵌合連結された状態をもって示す側面面である。
【図１５】本願発明に係る相互係合コネクタ装置の一例を構成するリセプタクルコネクタとプラグコネクタとを、プラグコネクタがそれに複数のケーブルが接続されたもとでリセプタクルコネクタに嵌合連結された状態をもって示す斜視面である。
【図１６】本願発明に係る相互係合コネクタ装置の一例を構成するリセプタクルコネクタとプラグコネクタとを、プラグコネクタがそれに複数のケーブルが接続されたもとでリセプタクルコネクタに嵌合連結された状態をもって示す背面面である。
【図１７】本願発明に係る相互係合コネクタ装置の一例を構成するリセプタクルコネクタとプラグコネクタとを、プラグコネクタがそれに複数のケーブルが接続されたもとでリセプタクルコネクタに嵌合連結された状態をもって示す側面図である。
【図１８】図１６における XVIII−XVIII 線断面を示す断面図である。
【図１９】図１６における XIX−XIX 線断面を示す断面図である。
【図２０】本願発明に係る相互係合コネクタ装置の一例を構成するリセプタクルコネ  クタに備えられた弾性係合部材の動作説明に供される断面図である。
【図２１】本願発明に係る相互係合コネクタ装置の一例を構成するリセプタクルコネ  クタに備えられた弾性係合部材の動作説明に供される断面図である。
【図２２】本願発明に係る相互係合コネクタ装置の一例を構成するリセプタクルコネ  クタに備えられた弾性係合部材の動作説明に供される断面図である。
【図２３】本願発明に係る相互係合コネクタ装置の一例を構成するリセプタクルコネ  クタに備えられた弾性係合部材の動作説明に供される断面図である。
【図２４】本願発明に係る相互係合コネクタ装置の一例を構成するリセプタクルコネ  クタに備えられた弾性係合部材の動作説明に供される断面図である。
【発明を実施するための形態】
【００２２】
本願発明を実施するための形態は、以下に述べられる本願発明についての実施例をもって説明される。
【実施例】
【００２３】
図１〜図３は、本願発明に係る相互係合コネクタ装置の一例を構成する第１のコネクタを成すリセプタクルコネクタ１０を示し、図４は、リセプタクルコネクタ１０についての分解斜視図である。リセプタクルコネクタ１０は、それに後述されるプラグコネクタ３０が嵌合連結される状態をとるものとされており、プラグコネクタ３０は、本願発明に係る相互係合コネクタ装置の一例を第１のコネクタを成すリセプタクルコネクタ１０と共に構成する第２のコネクタを成す。
【００２４】
斯かる図１〜図４に示されるリセプタクルコネクタ１０は、合成樹脂等の絶縁材料によって形成されて後述の図６〜図８に示される回路基板２５の部品搭載面２６に固定されるものとされたハウジング１１（第１のハウジング），ハウジング１１の外表面を部分的に覆う状態をもってハウジング１１に固定された導電性のシェル部材１２（第１のシェル部材）、及び、ハウジング１１に回動可能に取り付けられた弾性係合部材１３を備えている。
【００２５】
ハウジング１１には、嵌合凹部１４がハウジング１１の長手方向に沿って伸びる溝部を成すものとして設けられている。嵌合凹部１４には、プラグコネクタ３０がリセプタクルコネクタ１０に嵌合連結される際に、プラグコネクタ３０のハウジング３１（第２のハウジング）に設けられた嵌合凸部３３が係合せしめられ、それにより、プラグコネクタ３０のハウジング３１がリセプタクルコネクタ１０のハウジング１１との嵌合状態をとる。
【００２６】
また、ハウジング１１には、各々が弾性を有した導電性板材により形成された屈曲帯状部材を成す複数のリセプタクル側コンタクト１５（第１のコンタクト）が、ハウジング１１の長手方向に沿って配列配置されている。複数のリセプタクル側コンタクト１５の夫々には、回路基板２５に対接するハウジング１１の底面部１１ａ側からハウジング１１外に突出して、回路基板２５の部品搭載面２６に設けられた信号端子部２８（図６参照）に接続される基板接続部１５ａと、後述されるプラグコネクタ３０に備えられるプラグ側コンタクト３４（第２のコンタクト（図１０参照））に当接する接触接続部１５ｂとが設けられている。接触接続部１５ｂは、ハウジング１１に設けられた嵌合凹部１４内に臨むものとされている。
【００２７】
シェル部材１２は、例えば、金属板部材に打ち抜き・屈曲加工が施されて形成されており、ハウジング１１の長手方向に沿って伸びて、ハウジング１１における底面部１１ａ及び嵌合凹部１４が形成された部分を除く他の部分の大部分を覆うものとされている。従って、シェル部材１２は、その長手方向をハウジング１１の長手方向に合致させるものとされている。斯かるもとで、シェル部材１２には、ハウジング１１の外方に突出し、ハウジング１１に回動可能に取り付けられた弾性係合部材１３との係合状態をとって弾性係合部材１３を係止する係止部１６が設けられている。係止部１６には、弾性係合部材１３との係合状態をとるとき弾性係合部材１３を案内する傾斜面部分１６ａを有している。
【００２８】
なお、図１〜図４に示されるシェル部材１２にあっては、係止部１６がその長手方向における中央部分に一個設けられているが、シェル部材１２における係止部１６は、その長手方向における中央部分以外の部分に一個設けられてもよく、さらには、その長手方向に並ぶものとして複数個設けられてもよい。
【００２９】
また、シェル部材１２には、係止部１６に加えて、回路基板２５の部品搭載面２６に設けられた接地端子部２７（図６参照）に接続される複数の接地接続部１７が設けられている。それにより、ハウジング１１が回路基板２５の部品搭載面２６に固定されたもとで、シェル部材１２における複数の接地接続部１７が回路基板２５の部品搭載面２６に設けられた接地端子部２７に接続されてシェル部材１２に接地電位が与えられるときには、シェル部材１２は、ハウジング１１の長手方向に沿って配列配置された複数のリセプタクル側コンタクト１５に対して電磁シールド作用を及ぼす。
【００３０】
弾性係合部材１３は、例えば、弾性を具えた金属棒状材料に屈曲加工が施されることにより得られて全体的にハウジング１１の長手方向に沿って伸びるものとされており、ハウジング１１が固定された回路基板２５の部品搭載面２６に向かう方向の弾性押圧力を生じさせること及びハウジング１１が固定された回路基板２５の部品搭載面２６に沿う方向に部分的弾性変位をすることが可能とされている。そして、弾性係合部材１３は、その両端部である一対の端部１８Ａ及び１８Ｂがハウジング１１により回動可能に支持され、一対の端部１８Ａ及び１８Ｂの間の中間部１９に、シェル部材１２に設けられた係止部１６に係合する被係止係合部２０及びハウジング１１との嵌合状態におかれたプラグコネクタ３０のハウジング３１に固定されたシェル部材３２（第２のシェル部材）に押圧当接する一対の押圧部２１Ａ及び２１Ｂが形成された弾性屈曲棒状体を成すものとされている。
【００３１】
弾性係合部材１３における一対の端部１８Ａ及び１８Ｂの間の中間部１９は、その中央部分に被係止係合部２０が形成されるとともに、被係止係合部２０を挟んで一対の押圧部２１Ａ及び２１Ｂが形成されたものとされている。そして、被係止係合部２０を挟んだ一対の押圧部２１Ａ及び２１Ｂは、ハウジング１１との嵌合状態におかれたプラグコネクタ３０のハウジング３１に固定されたシェル部材３２に弾性押圧力を作用させる。また、被係止係合部２０及び一対の押圧部２１Ａ及び２１Ｂが形成された中間部１９は、その全体が、ハウジング１１が固定された回路基板２５の部品搭載面２６に沿う方向に弾性変位可能とされている。
【００３２】
このようなもとで、プラグコネクタ３０のハウジング３１が回路基板２５の部品搭載面２６に固定されたリセプタクルコネクタ１０のハウジング１１との嵌合状態におかれるときには、弾性係合部材１３が、ハウジング１１に対して回動せしめられて、一対の押圧部２１Ａ及び２１Ｂによりプラグコネクタ３０のハウジング３１にリセプタクルコネクタ１０のハウジング１１を回路基板２５の部品搭載面２６に押し付けることになる弾性押圧力を及ぼすとともに、被係止係合部２０が係合するシェル部材１２に設けられた係止部１６によって係止された状態におかれる。さらに、被係止係合部２０がシェル部材１２に設けられた係止部１６に係合したもとで、中間部１９が、ハウジング１１が固定された回路基板２５の部品搭載面２６に沿う方向において被係止係合部２０を係止部１６から離隔させるように弾性変位せしめられると、それにより被係止係合部２０が係止部１６との係合を解除し、弾性係合部材１３が係止部１６によって係止された状態から解放される。
【００３３】
なお、図１〜図４に示される弾性係合部材１３にあっては、被係止係合部２０がハウジング１１の長手方向中央部分に対応する位置に一個設けられているが、弾性係合部材１３における被係止係合部２０は、ハウジング１１の長手方向中央部分に対応する位置以外の位置に一個設けられてもよく、さらには、ハウジング１１の長手方向に並ぶものとして複数個設けられてもよい。
【００３４】
図４における枠Ａ内を拡大して示す図５に示されるように、ハウジング１１におけるその長手方向の一端部には、溝部２２が形成されており、また、シェル部材１２におけるその長手方向の一端部には、切欠き部２３が形成されている。ハウジング１１の一端部に形成された溝部２２には弾性係合部材１３における端部１８Ａが収容され、シェル部材１２の一端部に形成された切欠き部２３は、シェル部材１２がハウジング１１の外表面を部分的に覆うもとで、溝部２２に収容された弾性係合部材１３における端部１８Ａを溝部２２からの離脱を阻止すべく抑える役割を果たす。
【００３５】
これと同様に、ハウジング１１におけるその長手方向の他端部にも、溝部２２に相当する溝部が形成されており、また、シェル部材１２におけるその長手方向の他端部にも、切欠き部２３に相当する切欠き部が形成されている。そして、ハウジング１１の他端部に形成された溝部には弾性係合部材１３における端部１８Ｂが収容され、シェル部材１２の他端部に形成された切欠き部は、シェル部材１２がハウジング１１の外表面を部分的に覆うもとで、溝部に収容された弾性係合部材１３における端部１８Ｂを溝部からの離脱を阻止すべく抑える役割を果たす。
【００３６】
それにより、弾性係合部材１３における一対の端部１８Ａ及び１８Ｂの夫々がハウジング１１により回動可能に支持された状態がとられ、弾性係合部材１３がハウジング１１に回動可能に取り付けられたものとされる。そして、弾性係合部材１３は、図１〜図５に示されるようなハウジング１１に対して起き上がった状態とされる第１の静止位置と、後述される図１５〜図１９に示されるようなハウジング１１に対して伏した状態とされる第２の静止位置とを選択的にとる。
【００３７】
図６〜図８は、リセプタクルコネクタ１０が、回路基板２５に装着された状態を示す。回路基板２５に装着されたリセプタクルコネクタ１０にあっては、シェル部材１２における複数の接地接続部１７が回路基板２５の部品搭載面に設けられた接地端子部２７に、例えば、半田付けされて接続されることにより、ハウジング１１が回路基板２５の部品搭載面２６に固定される。また、複数のリセプタクル側コンタクト１５の夫々における接触接続部１５ａが、回路基板２５の部品搭載面２６に設けられた信号端子部２８に、例えば、半田付けされて接続される。図６〜図８においては、リセプタクルコネクタ１０が備える弾性係合部材１３は、ハウジング１１に対して起き上がった状態とされる第１の静止位置をとるものとされている。
【００３８】
図９〜図１２は、本願発明に係る相互係合コネクタ装置の一例を、リセプタクルコネクタ１０と共に構成する第２のコネクタを成すプラグコネクタ３０を、それに接続された複数のケーブル４０と共に示す。図９〜図１２に示されるプラグコネクタ３０は、合成樹脂等の絶縁材料によって形成されたハウジング３１及びハウジング３１の外表面を部分的に覆う状態をもってハウジング３１に固着された導電性のシェル部材３２を備えている。複数のケーブル４０の夫々は、例えば、図１２に示されるように、中心導体４１と、中心導体４１を覆う内部絶縁体４２と、内部絶縁体４２を包囲する外側導体４３と、外側導体４３を覆う表皮絶縁体４４とを有した同軸ケーブルとされる。
【００３９】
ハウジング３１には、嵌合凸部３３がハウジング３１の長手方向に沿って伸びる突出部を成すものとして設けられている。嵌合凸部３３は、プラグコネクタ３０がリセプタクルコネクタ１０に嵌合連結される際に、リセプタクルコネクタ１０のハウジング１１に設けられた嵌合凹部１４に挿入され、それにより、プラグコネクタ３０のハウジング３１がリセプタクルコネクタ１０のハウジング１１との嵌合状態をとるものとされる。
【００４０】
また、ハウジング３１には、各々が弾性を有した導電性板材により形成された屈曲帯状部材を成す複数のプラグ側コンタクト３４が、ハウジング３１の長手方向に沿って配列配置されている。複数のプラグ側コンタクト３４の夫々には、ケーブル４０の中心導体４１が接続される外部導体接続部３４ａと、それにリセプタクルコネクタ１０に備えられるリセプタクル側コンタクト１５の接触接続部１５ｂが当接するものとされる接触接続部３４ｂとが設けられている。接触接続部３４ｂは、ハウジング３１に設けられた嵌合凸部３３の外面部に配されるものとされている。
【００４１】
シェル部材３２は、例えば、金属板部材に打ち抜き・屈曲加工が施されて形成されており、ハウジング３１の長手方向に沿って伸びて、ハウジング３１における嵌合凸部３３が形成された部分及び複数のケーブル４０が接続される部分を除く他の部分の大部分を覆うものとされている。従って、シェル部材３２は、その長手方向をハウジング３１の長手方向に合致させるものとされている。そして、シェル部材３２は、図１２に示されるように、導電性連結部材３５及び３６を介して、複数のケーブル４０の夫々の外側導体４３に接続され、それにより、複数のケーブル４０の夫々の外側導体４３と共に接地電位が与えられる状態におかれる。
【００４２】
このようなもとで、第１のコネクタを成すリセプタクルコネクタ１０のハウジング１１に設けられた嵌合凹部１４に第２のコネクタを成すプラグコネクタ３０のハウジング３１に設けられた係合凸部３３が挿入されて、ハウジング１１がハウジング３１との嵌合状態をとるものとされるとき、図１３及び図１４に示されるように、複数のケーブル４０が接続されたプラグコネクタ３０がリセプタクルコネクタ１０との嵌合連結状態におかれる。その際、リセプタクルコネクタ１０が備える弾性係合部材１３は、ハウジング１１に対して起き上がった状態とされる第１の静止位置をとるものとされる。
【００４３】
なお、複数のケーブル４０が接続されたプラグコネクタ３０がリセプタクルコネクタ１０との嵌合連結状態におかれるにあたっては、リセプタクルコネクタ１０は、ハウジング１１が回路基板２５の部品搭載面２６に固定されて図６〜図８に示されるように回路基板２５に装着された状態におかれるが、図１３及び図１４においては、回路基板２５の図示が省略されている。
【００４４】
続いて、複数のケーブル４０が接続されたプラグコネクタ３０がリセプタクルコネクタ１０との嵌合連結状態におかれたもとで、リセプタクルコネクタ１０において第１の静止位置をとる弾性係合部材１３が回動せしめられて、図１５〜図１７に示されるように、第１の静止位置からハウジング１１に対して伏した状態とされる第２の静止位置へと移行するものとされると、斯かる弾性係合部材１３の回動に伴って、図１６における XVIII−XVIII 線断面を示す図１８に示されるように、弾性係合部材１３の中間部１９における一対の押圧部２１Ａ及び２１Ｂが、リセプタクルコネクタ１０との嵌合連結状態におかれたプラグコネクタ３０に備えられたシェル部材３２に押圧当接するとともに、弾性係合部材１３の中間部１９における被係止係合部２０がリセプタクルコネクタ１０に備えられたシェル部材１２に設けられた係止部１６に係合する。
【００４５】
斯かる際、プラグコネクタ３０に備えられたシェル部材３２に押圧当接する一対の押圧部２１Ａ及び２１Ｂは、プラグコネクタ３０のハウジング３１に、回路基板２５の部品搭載面２６に固定されたリセプタクルコネクタ１０のハウジング１１を回路基板２５の部品搭載面２６に押し付けることになる弾性押圧力を及ぼす。また、被係止係合部２０がリセプタクルコネクタ１０に備えられたシェル部材１２に設けられた係止部１６に係合することにより、弾性係合部材１３が係止部１６によって係止された状態におかれる。その結果、複数のケーブル４０が接続されたプラグコネクタ３０のリセプタクルコネクタ１０との嵌合連結状態が堅固に保たれ、例えば、プラグコネクタ３０に接続された複数のケーブル４０に、プラグコネクタ３０をリセプタクルコネクタ１０から離隔させようとする不所望な外力が作用した場合においても、プラグコネクタ３０のリセプタクルコネクタ１０との嵌合連結状態が乱されることなく、プラグコネクタ３０のハウジング３１がリセプタクルコネクタ１０のハウジング１１との嵌合状態をとって得られるプラグコネクタ３０のリセプタクルコネクタ１０との嵌合連結状態が適正かつ安定に維持される。
【００４６】
このようにして、プラグコネクタ３０がリセプタクルコネクタ１０との嵌合連結状態におかれたもとにあっては、図１８に示されるように、リセプタクルコネクタ１０に備えられたシェル部材１２に形成された弾性舌片部１２ａが、プラグコネクタ３０に備えられたシェル部材３２にその長手方向に伸びるものとして形成された帯状部３２ａに当接して、シェル部材３２がシェル部材１２との電気的接続状態におかれ、さらに、図１６における XIX−XIX 線断面を示す図１９に示されるように、リセプタクルコネクタ１０に備えられたリセプタクル側コンタクト１５における接触接続部１５ｂが、プラグコネクタ３０に備えられたプラグ側コンタクト３４における接触接続部３４ｂに当接して、プラグ側コンタクト３４がリセプタクル側コンタクト１５との電気的接続状態におかれる。
【００４７】
それにより、プラグコネクタ３０に備えられたシェル部材３２が導電性連結部材３５及び３６を介して接続されるものとされた複数のケーブル４０の夫々の外側導体４３が、リセプタクルコネクタ１０に備えられたシェル部材１２における複数の接地接続部１７が接続された回路基板２５における接地端子部２７に連結される。また、複数のプラグ側コンタクト３４の夫々における外部導体接続部３４ａに接続されたケーブル４０の中心導体４１が、リセプタクル側コンタクト１５における基板接続部１５ａが接続された回路基板２５の部品搭載面２６における信号端子部２８に連結される。その結果、複数のケーブル４０が、プラグコネクタ３０及びリセプタクルコネクタ１０を介して、回路基板２５との電気的接続状態におかれることになる。
【００４８】
上述のように、リセプタクルコネクタ１０に備えられた弾性係合部材１３が第１の静止位置から第２の静止位置へと移行すべく回動せしめられて、弾性係合部材１３の中間部１９における被係止係合部２０がリセプタクルコネクタ１０に備えられたシェル部材１２に設けられた係止部１６に係合するにあたっては，先ず、図２０に示されるように、弾性係合部材１３の中間部１９における一対の押圧部２１Ａ及び２１Ｂがプラグコネクタ３０に備えられたシェル部材３２に押圧当接するもとで、被係止係合部２０が係止部１６における傾斜面部分１６ａに当接する。続いて、図２１に示されるように、被係止係合部２０が係止部１６における傾斜面部分１６ａによる案内を受けつつ回路基板２５の部品搭載面２６（図示が省略されている。）に向かって移動せしめられていく。その後、図２２に示されるように、被係止係合部２０が係止部１６に係合して、弾性係合部材１３が係止部１６によって係止された状態におかれる。
【００４９】
また、被係止係合部２０がシェル部材１２に設けられた係止部１６に係合したもとで、弾性係合部材１３の中間部１９に外力が加えられて、図２３に示されるように、中間部１９がハウジング１１が固定された回路基板２５の部品搭載面２６（図示が省略されている。）に沿う方向において被係止係合部２０を係止部１６から離隔させるように弾性変位せしめられると、それにより被係止係合部２０が係止部１６との係合を解除し、弾性係合部材１３が係止部１６によって係止された状態から解放される。係止部１６との係合を解除した被係止係合部２０は、図２４に示されるように、弾性係合部材１３の中間部１９が備える弾性によって回路基板２５の部品搭載面２６から離隔する方向に移動せしめられ、その後、弾性係合部材１３は第２の静止位置から第１の静止位置へと移行すべく回動せしめられる。それにより、プラグコネクタ３０のハウジング３１がリセプタクルコネクタ１０のハウジング１１との嵌合状態から解放されて、複数のケーブル４０が接続されたプラグコネクタ３０がリセプタクルコネクタ１０との嵌合連結状態を解除し得るものとされる。
【００５０】
上述のようなリセプタクルコネクタ１０とプラグコネクタ３０とを含んで構成される本願発明に係る相互係合コネクタ装置の一例においては、プラグコネクタ３０のハウジング３１が回路基板２５に装着されたリセプタクルコネクタ１０のハウジング１１との嵌合状態をとってプラグコネクタ３０がリセプタクルコネクタ１０との嵌合連結状態におかれるとき、リセプタクルコネクタ１０のハウジング１１が固定された回路基板２５の部品搭載面２６に向かう方向の弾性押圧力を生じさせること及び回路基板２５の部品搭載面２６に沿う方向に部分的弾性変位をすることが可能とされてリセプタクルコネクタ１０のハウジング１１に回動可能に取り付けられた弾性係合部材１３が、回動せしめられて、プラグコネクタ３０のハウジング３１にリセプタクルコネクタ１０のハウジング１１をそれが固定された回路基板２５の部品搭載面２６に押し付けることになる弾性押圧力を及ぼすとともにリセプタクルコネクタ１０に備えられた係止部１６によって係止された状態をとるものとされるが、弾性係合部材１３がプラグコネクタ３０のハウジング３１にリセプタクルコネクタ１０のハウジング１１をそれが固定された回路基板２５の部品搭載面２６に押し付けることになる弾性押圧力を及ぼすとともにリセプタクルコネクタ１０に備えられた係止部１６によって係止された状態をとるときには、それにより、例えば、プラグコネクタ３０に接続された複数のケーブル４０に、プラグコネクタ３０をリセプタクルコネクタ１０から離隔させようとする不所望な外力が作用した場合においても、プラグコネクタ３０のリセプタクルコネクタ１０との嵌合連結状態が乱されることなく、プラグコネクタ３０のハウジング３１がリセプタクルコネクタ１０のハウジング１１との嵌合状態をとって得られるプラグコネクタ３０のリセプタクルコネクタ１０との嵌合連結状態が適正かつ安定に維持される。
【００５１】
それに加えて、プラグコネクタ３０が回路基板２５に装着されたリセプタクルコネクタ１０との嵌合連結状態におかれて弾性係合部材１３がリセプタクルコネクタ１０に備えられた係止部１６によって係止された状態をとるもとで、リセプタクルコネクタ１０に備えられた弾性係合部材１３に、リセプタクルコネクタ１０のハウジング１１が固定された回路基板２５の部品搭載面２６に沿う方向の部分的弾性変位を生じさせる外力が加えられるときには、弾性係合部材１３が生じる部分的弾性変位に伴って、弾性係合部材１３に対するリセプタクルコネクタ１０に備えられた係止部１６による係止が解除され、リセプタクルコネクタ１０との嵌合連結状態におかれたプラグコネクタ３０がリセプタクルコネクタ１０から抜去され得るものとされるので、弾性係合部材１３に対するリセプタクルコネクタ１０に備えられた係止部１６による係止を解除して、リセプタクルコネクタ１０との嵌合連結状態におかれたプラグコネクタ３０をリセプタクルコネクタ１０から抜去され得るものとなす状態を、容易に得ることができる。
【００５２】
これよりして、本願発明に係る相互係合コネクタ装置の一例によれば、回路基板２５の部品搭載面２６に固定されるハウジング１１を有して回路基板２５に装着されるリセプタクルコネクタ１０と、リセプタクルコネクタ１０のハウジング１１との嵌合状態をとるハウジング３１を有し、複数のケーブル４０が接続されるプラグコネクタ３０とを含んで構成されて、プラグコネクタ３０のハウジング３１がリセプタクルコネクタ１０のハウジング１１との嵌合状態をとってプラグコネクタ３０がリセプタクルコネクタ１０との嵌合連結状態に置かれることにより、プラグコネクタ３０に接続された複数のケーブル４０をリセプタクルコネクタ１０が装着された回路基板２５に電気的に接続された状態におくことができる機構を成すもとにおいて、プラグコネクタ３０のハウジング３１がリセプタクルコネクタ１０のハウジング１１との嵌合状態をとって得られるプラグコネクタ３０のリセプタクルコネクタ１０との嵌合連結状態を適正かつ安定に維持することができ、しかも、リセプタクルコネクタ１０との嵌合連結状態に置かれたプラグコネクタ３０のリセプタクルコネクタ１０の抜去を容易に行うことができることになる。
【００５３】
なお、上述の例においては、プラグコネクタ３０がそれに複数のケーブル４０が接続されるものとされているが、プラグコネクタ３０は、複数のケーブル４０に代えて、例えば、フレキシブル印刷配線基板（FPC)を成す配線基板が装着接続されるものとされてもよい。斯かる際には、プラグコネクタ３０に備えられる複数のプラグ側コンタクト３４は、プラグコネクタ３０に装着接続される配線基板に設けられた複数の配線端子に夫々接続されるものとされる。
【産業上の利用可能性】
【００５４】
以上のような本願発明に係る相互係合コネクタ装置は、回路基板に装着される、例えば、リセプタクルコネクタとされる第１のコネクタと、例えば、複数のケーブルや配線基板が接続されるプラグコネクタとされる第２のコネクタとを含み、第１のコネクタに第２のコネクタが嵌合連結せしめられることにより、第２のコネクタに接続された複数のケーブルや配線基板を第１のコネクタが装着された回路基板に電気的に接続された状態におくことができる機構を成すものであって、第１のコネクタに対する第２のコネクタの嵌合連結状態を適正かつ安定に維持することができ、しかも、第１のコネクタとの嵌合連結状態に置かれた第２のコネクタの第１のコネクタからの抜去を容易に行うことができるものとして、様々な電子機器等に広く適用され得るものである。
【符号の説明】
【００５５】
１０・・・リセプタクルコネクタ（第１のコネクタ），  １１・・・ハウジング（第１のハウジング），  １２・・・シェル部材（第１のシェル部材），  １３・・・弾性係合部材，  １４・・・嵌合凹部，  １５・・・リセプタクル側コンタクト（第１のコンタクト），  １５ａ・・・基板接続部，  １５ｂ，３４ｂ・・・接触接続部，  １６・・・係止部，  １６ａ・・・傾斜面部分，  １７・・・接地接続部，  １８Ａ，１８Ｂ・・・（弾性係合部材１３の）端部，  １９・・・（弾性係合部材１３の）中間部，  ２０・・・被係止係号部，  ２１Ａ，２１Ｂ・・・押圧部，  ２２・・・溝部，  ２３・・・切欠き部，  ２５・・・回路基板，  ２６・・・部品搭載面，  ２７・・・接地端子部，  ２８・・・信号端子部，  ３０・・・プラグコネクタ（第２のコネクタ），  ３１・・・ハウジング（第２のハウジング），  ３２・・・シェル部材（第２のシェル部材），  ３３・・・嵌合凸部，  ３４・・・プラグ側コンタクト（第２のコンタクト），  ３４ａ・・・外部導体接続部，  ３５，３６・・・導電性連結部材，  ４０・・・ケーブル，  ４１・・・中心導体，  ４２・・・内部絶縁体，  ４３・・・外側導体，  ４４・・・表皮絶縁体
【図１】
2017174746.tif 000003
【図２】
2017174746.tif 000004
【図３】
2017174746.tif 000005
【図４】
2017174746.tif 000006
【図５】
2017174746.tif 000007
【図６】
2017174746.tif 000008
【図７】
2017174746.tif 000009
【図８】
2017174746.tif 000010
【図９】
2017174746.tif 000011
【図１０】
2017174746.tif 000012
【図１１】
2017174746.tif 000013
【図１２】
2017174746.tif 000014
【図１３】
2017174746.tif 000015
【図１４】
2017174746.tif 000016
【図１５】
2017174746.tif 000017
【図１６】
2017174746.tif 000018
【図１７】
2017174746.tif 000019
【図１８】
2017174746.tif 000020
【図１９】
2017174746.tif 000021
【図２０】
2017174746.tif 000022
【図２１】
2017174746.tif 000023
【図２２】
2017174746.tif 000024
【図２３】
2017174746.tif 000025
【図２４】
2017174746.tif 000026